(57)【要約】【課題】有機発光素子であるＯＬＥＤの明るさを効果的かつ正確に制御すると共にピクセル間の不整合による階調の不均一性を克服するアクティブマトリクス型有機発光素子のピクセル回路及び駆動方法、並びにそのピクセル回路を利用したディスプレイ装置を提供する。【解決手段】  ＯＬＥＤを駆動する電圧制御電流源ＶＣＣＳ１０１と、ＶＣＣＳ１０１の制御入力信号をオンまたはオフ状態にするための高利得増幅器１０２と、ＶＣＣＳ１０１のオン時間を指定するために、高利得増幅器１０２の入力とデータライン１０３との間に接続されたストレージ・キャパシターＣＳ１とを設け、ストレージ・キャパシターＣＳ１に電圧を保存させ、ＯＬＥＤの発光時間を制御するために、スキャンライン１０４により制御される第１スイッチＳ１１及び第２スイッチＳ１２を高利得増幅器１０２の入力及びＶＣＣＳ１０１の入力に各々接続する。【選択図】図４
2006171699.tif 000002
【特許請求の範囲】
【請求項１】
ＯＬＥＤを駆動する電圧制御電流源ＶＣＣＳと、
前記ＶＣＣＳの制御入力信号をオンまたはオフ状態にするための高利得増幅器と、
前記ＶＣＣＳのオン時間を指定するために、前記高利得増幅器の入力とデータラインとの間に接続されたストレージ・キャパシターと、
を備え、前記ストレージ・キャパシターに電圧を保存し、前記ＯＬＥＤの発光時間を制御するために、スキャンラインにより制御される第１スイッチ及び第２スイッチが前記高利得増幅器の入力及び前記ＶＣＣＳの入力に各々接続されたことを特徴とする、アクティブマトリクス型有機発光素子のピクセル回路。
【請求項２】
前記ＶＣＣＳはＰチャンネルＴＦＴを含み、前記高利得増幅器はＮチャンネルＴＦＴを含み、前記第１スイッチ及び前記第２スイッチは各々ＰチャンネルＴＦＴからなることを特徴とする、請求項１に記載のアクティブマトリクス型有機発光素子のピクセル回路。
【請求項３】
前記ＶＣＣＳはＮチャンネルＴＦＴを含み、前記高利得増幅器はＰチャンネルＴＦＴを含み、前記第１スイッチ及び前記第２スイッチは各々ＮチャンネルＴＦＴからなることを特徴とする、請求項１に記載のアクティブマトリクス型有機発光素子のピクセル回路。
【請求項４】
アクティブマトリクス型ＯＬＥＤのピクセルを駆動する方法であって、
スキャンラインを、任意のピクセルの階調表示のためのデータ・プログラミング時に、該ピクセルを選択するための制御信号線として使用すること、前記スキャンラインをリセット制御信号線として使用するために、発光期間を制御するデータライン信号としてのこぎり波を使用すること、を備えることを特徴とする、アクティブマトリクス型有機発光素子のピクセル駆動方法。
【請求項５】
前記のこぎり波の立ち上がりに多様な増加関数を与えることにより、ガンマ補正を行うことを特徴とする、請求項４に記載のアクティブマトリクス型有機発光素子のピクセル駆動方法。
【請求項６】
前記のこぎり波の立ち上がりに多様な増加関数を与える場合、Ｒ．Ｇ．Ｂ．の各々における前記増加関数を互いに異ならせることにより、ガンマ補正を行うことを特徴とする、請求項５に記載のアクティブマトリクス型有機発光素子のピクセル駆動方法。
【請求項７】
ＯＬＥＤを駆動する電圧制御電流源ＶＣＣＳと、
前記ＶＣＣＳの制御入力信号をオンまたはオフ状態にするための高利得増幅器と
前記ＶＣＣＳのオン時間を指定するために、前記高利得増幅器の入力とデータラインとの間に接続されたストレージ・キャパシターと、
を備え、前記ストレージ・キャパシターに電圧を保存し、前記ＯＬＥＤの発光時間を制御するために、スキャンラインにより制御される第１スイッチ及び第２スイッチが前記高利得増幅器の入力及び前記ＶＣＣＳの入力に各々接続されたアクティブマトリクス型有機発光素子のピクセル回路をアレイとして配置し、各々のデータラインにマルチプレクサーが接続され、該マルチプレクサーを介して各々のデータラインの入力に対してのこぎり波発生器が接続され、該のこぎり波発生器により各データラインに接続されるピクセルの発光期間が制御されることを特徴とする、アクティブマトリクス型有機発光素子のピクセル回路を利用したディスプレイ装置。
【請求項８】
前記各データラインに接続されたマルチプレクサーをＲ．Ｇ．Ｂ．に区分し、前記のこぎり波発生器を共有するようにして、のこぎり波に互いに異なる立ち上がり関数を印加することにより、Ｒ．Ｇ．Ｂ．の各々のガンマ補正を異ならせることを特徴とする、請求項７に記載のアクティブマトリクス型有機発光素子のピクセル回路を利用したディスプレイ装置。
【発明の詳細な説明】
【技術分野】
【０００１】
本発明は、有機発光素子のピクセル回路及び駆動方法に関するものである。特に、有機発光ダイオード（ＯＬＥＤ：Organic Light Emitting Diode）の明るさを効果的かつ正確に制御すると共にピクセル間の不整合による階調の不均一性（Gradient Non-Uniformity ）を克服する有機発光素子のピクセル回路及び駆動方法、並びにそのピクセル回路を利用したディスプレイ装置に関するものである。
【背景技術】
【０００２】
基板上に薄膜トランジスター（ＴＦＴ：Thin Film Transistor）を形成する技術は、ここ数年の間に広範囲に進歩している。そして、アクティブマトリクス型ディスプレイ装置に対する応用開発が進行している。特に、ポリシリコン膜を使用するＴＦＴは、従来の非晶質シリコン膜を使用するＴＦＴに比べより高い電界効果移動度を有するため高速動作が可能である。結果的に、従来は、基板外部の駆動回路により実行されていたピクセル制御がピクセルと同一基板上に形成された駆動回路により実行可能になった。
【０００３】
このような形態のアクティブマトリクス型ディスプレイ装置は、同一基板上に多様な回路及び素子を統合することにより得られる製造コストの削減、ディスプレイ装置の小型化、生産量の増加、及びさらに高い作業処理量等の多くの長所のため注目されてきた。
【０００４】
現在、自発光素子としてＥＬ素子を具備したアクティブマトリクス型ＥＬディスプレイ装置が活発に研究されている。ＥＬディスプレイ装置はまた、有機ＥＬディスプレイ（ＯＥＬＤ：Organic Electroluminescence Display ）または有機発光ダイオード（ＯＬＥＤ）と呼ばれ、アクティブマトリクス型有機発光ダイオードは、ＡＭＯＬＥＤ（Active Matrix Light Emitting Diode）と呼ばれる。
【０００５】
有機ディスプレイ装置は、液晶ディスプレイ装置とは異なり自発光型である。ＥＬ素子は、ＥＬ層が一対の電極間に挟まれるように構成されている。電子注入電極（カソード）の第１電極と、正孔注入電極（アノード）の第２電極との間に形成された有機発光層に各々電子と正孔を注入すると電子と正孔が結合して対をなしてエキシトンが生成される。エキシトンが励起状態から基底状態に戻りながら消滅する際に発光する。
【０００６】
このようなＯＬＥＤは、２乃至３０ボルトのＤＣバイアスで動作する。ＯＬＥＤの輝度は、アノード及びカソードに印加される電圧または電流を調節することにより制御することができ、発生する相対的な光量をグレイレベルという。ＯＬＥＤは、一般的に電流モードで動作する時に最適に動作する。光出力は、定電圧で駆動する場合と比較して、定電流で駆動する場合により安定する。これは、一般的に電圧モードで動作する他の多くのディスプレイ技術と対照的である。したがって、ＯＬＥＤ技術を利用するアクティブマトリクス型ディスプレイは、電流動作モードを提供するために特定ピクセル構造を必要とする。
【０００７】
一般的にアクティブマトリクス型ＯＬＥＤ（ＡＭＯＬＥＤ）素子において、多数のＯＬＥＤが単一基板上に形成され、規則的なグリッドパターン・グループで配列される。グリッドの列を形成する数個のＯＬＥＤグループは、共通カソードまたはカソードラインを共有できる。グリッドの行を形成する数個のＯＬＥＤグループは、共通アノードまたはアノードラインを共有できる。所定グループの個別のＯＬＥＤは、それらのカソードライン及びアノードラインが同時に活性化された時、光を放出する。マトリクス内のＯＬＥＤグループは、ディスプレイに一つのピクセルを形成することができ、個別のＯＬＥＤは一般的に一つのサブピクセルの役割をする。
【０００８】
ＯＬＥＤは、広い視野角、高速応答性、ハイコントラスト等の優れた特徴を有している。このため、グラフィック・ディスプレイのピクセル、テレビ映像ディスプレイや表面光源のピクセルとして使用することが可能である。さらに、プラスチック等の湾曲可能な（Flexible）透明基板上に素子を形成し、極めて薄型・軽量に製造することが可能であり、色感が優れているため、次世代平面ディスプレイ（ＦＰＤ：Flat Panel Display）に使用するのに適合した素子である。
【０００９】
また、Ｒ（Red ）、Ｇ（Green ）、Ｂ（Blue）の３色を表現することが可能である。バックライトが不要なために、液晶表示装置（ＬＣＤ：Liquid Crystal Display）に比べて消費電力が少ない。さらに色感が優れているため、次世代フルカラーディスプレイ素子として多くの関心の対象になっている。
【００１０】
図１は、特許文献１に開示された技術により、従来のＴＲＧ（Time Ratio Gray ）を具現するための基本的なピクセル構造のうちの一つである。
【００１１】
このピクセル構造には、ＴＲＧを具現するための最大の問題であるアドレス・タイム（Addressing Time ）問題がある。即ち、任意のグレイスケールを表現するために、フレームタイムをサブフレームに分けてサブフレーム動作時毎にデータ・プログラムをピクセル毎に実行しなければならないため、与えられた一フレーム期間において使用可能な実効発光タイムがグレイスケールの増大に従い減少し、高水準のグレイスケールを具現することが困難であるという問題である。
【００１２】
図２及び図３は、各々ＳＩＤ２００３、ＳＩＤ２００４において発表された方法である。図２のピクセル回路には、ＣＭＯＳインバーターの動作時にシュートスルー（Shoot-Through ）電流が発生し、発光時間を制御するための制御信号が追加されるという短所がある。
【００１３】
図３のピクセル回路では、図２のピクセル回路が有しているシュートスルー電流が除去されたものの依然として別途の制御線が必要であり、トランジスター（Ｔ５）がピクセル間で互いに異なる特性を示す場合、グレイスケールの均一性を具現することが困難であるという短所がある。
【特許文献１】米国特許第６，７８１，５６７号明細書
【発明の開示】
【発明が解決しようとする課題】
【００１４】
本発明は、このような従来技術の問題点を解決するためのものである。本発明の目的は、データラインとスキャンラインのみを使用してピクセル選択及び階調の具現を同時に実現できるようにすると共にピクセル間の階調の不均一性を解消できるようにしたアクティブマトリクス型有機発光素子のピクセル回路及び駆動方法、並びにそのピクセル回路を利用したディスプレイ装置を提供することにある。
【課題を解決するための手段】
【００１５】
上記の本発明の目的を達成するために、本発明のアクティブマトリクス型有機発光素子のピクセル回路は、ＯＬＥＤを駆動する電圧制御電流源のＶＣＣＳと、前記ＶＣＣＳの制御入力信号をオンまたはオフ状態にするための高利得増幅器と、前記ＶＣＣＳのオン時間を指定するために、前記高利得増幅器の入力とデータラインとの間に接続されたストレージ・キャパシターとを備え、前記ストレージ・キャパシターに電圧を保存し、前記ＯＬＥＤの発光時間を制御するためにスキャンラインにより制御される第１スイッチ及び第２スイッチが前記高利得増幅器の入力及び前記ＶＣＣＳの入力に各々接続されたことを特徴とする。
【００１６】
また、本発明のアクティブマトリクス型ＯＬＥＤのピクセルを駆動する方法は、スキャンラインを、任意のピクセルの階調表示のためのデータ・プログラミング時に、該ピクセルを選択するための制御信号線に使用すること、前記スキャンラインをリセット制御信号線として使用するために、発光期間を制御するデータライン信号としてのこぎり波を使用すること、を備えることを特徴とする。
【００１７】
前記本発明のアクティブマトリクス型有機発光素子のピクセル回路を利用したディスプレイ装置は、ＯＬＥＤを駆動する電圧制御電流源のＶＣＣＳと、前記ＶＣＣＳの制御入力信号をオンまたはオフ状態にするための高利得増幅器と、前記ＶＣＣＳのオン時間を指定するために前記高利得増幅器の入力とデータラインとの間に接続されたストレージ・キャパシターとを備え、前記ストレージ・キャパシターに電圧を保存し、前記ＯＬＥＤの発光時間を制御するためにスキャンラインで制御される第１スイッチ及び第２スイッチが前記高利得増幅器の入力及び前記ＶＣＣＳの入力に各々接続されたアクティブマトリクス型有機発光素子のピクセル回路がアレイとして配置され、各々のデータラインにマルチプレクサーが接続され、該マルチプレクサーを介して各々のデータラインの入力に対してのこぎり波発生器が接続され、該のこぎり波発生器により各データラインに接続されるピクセルの発光期間が制御されることを特徴とする。
【発明の効果】
【００１８】
本発明は、アクティブマトリクス型ＯＬＥＤディスプレイにおいて、データライン及びスキャンラインのみを使用してピクセル選択及び階調の具現を同時に実現でき、アナログ電圧駆動にパルス幅変調を追加して階調間の不均一性を解消でき、また、アクティブマトリクス型ＯＬＥＤアレイを具現する際におけるピクセル選択及び発光期間を制御するのに必要な配線数の使用を最小にする。
【発明を実施するための最良の形態】
【００１９】
以下、本発明の好ましい実施形態を添付図面を参照してより詳細に説明する。但し、下記の実施形態は本発明を例示するだけのものであり、本発明の内容が下記の実施形態に限定されることはない。
【００２０】
図４は、本発明のアクティブマトリクス型有機発光素子のピクセル回路の概念図を示したものであり、図５は図４に対する一つの実施形態を示したものである。図６はその実施形態の動作のタイミングを示したグラフであり、これらを参照して本発明の原理を簡潔に述べる。
【００２１】
アクティブマトリクス型アレイを構成する各々のピクセルを目的の明るさで駆動するため、本発明によれば、任意のピクセルを選択して目的の明るさに対応するデータ（電圧）を保存するためにデータラインに接続された一つのストレージ・キャパシターを使用する。さらに、発光期間を制御するためにデータラインとスキャンラインのみを使用する。
【００２２】
各期間に必要な動作の制御のために２個のスイッチ要素を使用する。各ピクセルのＯＬＥＤを駆動するために、電圧制御電流源（ＶＣＣＳ：Voltage Controlled Current Source ）を使用し、そのＶＣＣＳをオンまたはオフ状態にするために高利得増幅器からの制御入力信号を使用する。各ピクセルの発光期間を正確に定義するためにデータラインに第２の入力信号であるのこぎり波を使用する。
【００２３】
また、本発明のアクティブマトリクス型有機発光素子のピクセル回路の制御タイミング期間は、データ・プログラミング期間と発光期間とに大別される。
【００２４】
データ・プログラミング期間（図６のＴ１）は、目的の明るさを達成するために必要なアナログ電圧値を図４のストレージ・キャパシターＣＳ１に保存するために必要な時間及びスイッチング動作により構成されている。発光期間（図６のＴ２）には、データライン１０３にのこぎり波信号が印加され、データ・プログラミング期間においてプログラムされた電圧値にしたがって、有効発光時間（図６のＴ３）が制御される。
【００２５】
データ・プログラミング期間は、図６における時間Ａから時間Ｂまでと定義され、発光期間は図６における時間Ｃから時間Ｄまでと定義される。
【００２６】
データ・プログラミング期間と発光期間の間には、時間Ｂから時間Ｃまでの遅延が存在することになるが、この遅延は、ディスプレイ・システム、ディスプレイ・フォーマットによるディスプレイ・マトリクス・アレイの構造及びスキャンラインの数により決定される。
【００２７】
また、本発明では、ピクセル間の不整合による階調の不均一性を解決するために不整合の主原因になっている素子（後述の図４及び図７のＶＣＣＳ、図５及び図８のＭ２）の制御状態をオンまたはオフ状態のみにする。この素子の状態がオンまたはオフ状態のみになるように制御するため、この素子の制御入力信号をデジタル化する必要がある。この制御入力信号のデジタル化のために高利得増幅器１０２の出力を図４と図７のＶＣＣＳ１０１の制御入力信号とする。
【００２８】
また、本発明は、発光期間を制御するためにデータライン１０３及びスキャンライン１０４のみを使用する。それが可能な理由は、発光期間において使用されるスイープ信号の波形がのこぎり波形状であるため、立ち上がりの傾き（Rising Slope）が終了する時点がすべてのピクセルの発光期間の終了時点になる。そのため、スキャンライン１０４に適切な信号を印加して高利得増幅器１０２及びＶＣＣＳ１０１をリセットできるからである。
【００２９】
上述の概念を基に本発明をより詳細に説明する。
図４のアクティブマトリクス型有機発光素子のピクセル回路において、ＯＬＥＤをデジタル的に駆動するために、ＯＬＥＤに電流を供給するＶＣＣＳ１０１に対する制御入力信号が高利得増幅器１０２を介して入力される。ＶＣＣＳ１０１のオン期間をプログラムするために、高利得増幅器１０２の入力とデータライン１０３との間にストレージ・キャパシターＣＳ１が構成されている。ストレージ・キャパシターＣＳ１にデータ（電圧）をプログラムして発光期間を制御するために、スキャンライン１０４により制御されるスイッチＳ１１、Ｓ１２が高利得増幅器１０２の入力及びＶＣＣＳ１０１の入力に各々接続されている。各々のスイッチＳ１１、Ｓ１２の一端は適切な動作のために、ＤＣ電圧ソースＶＤＤまたはグランドＧＮＤに接続されている。
【００３０】
図５は、図４に対する一つの実施形態を示したものである。図４のスイッチＳ１１、Ｓ１２はＰチャンネルＴＦＴ（Ｍ３）、（Ｍ４）によって、ＶＣＣＳ１０１はＰチャンネルＴＦＴ（Ｍ２）によって、高利得増幅器１０２はＮチャンネルＴＦＴ（Ｍ１）によって具現されている。この動作を図６のタイミングを示すグラフと共に詳細に説明する。
【００３１】
データ・プログラミング期間では、ピクセルを選択して初期状態を定義するため、スキャンライン１０４の電圧を非選択状態から選択状態になるようにスイッチＭ３、Ｍ４をオンにする（図６のスキャン）。
【００３２】
ここで、マルチプレクサーＭＵＸの状態を制御することにより、データライン１０３には、アナログ電圧ソースから図６のアナログ電圧が印加される。充分な動作の安定性を確保するためにスキャンライン１０４が非選択状態に戻った後のしばらくの間（図６のＴ４）、アナログ電圧値Ｖｘは維持される。図６のデータ・プログラミング期間後における一定期間の遅延Ｔ５は、ピクセル・アレイとして構成され使用される時のアレイ構造やアドレッシング・スピードにしたがって変化する値である。
【００３３】
発光期間には、マルチプレクサーＭＵＸの状態を制御して、のこぎり波発生器１０７から図６におけるのこぎり波のような波形が印加される。図６におけるのこぎり波のパルス幅Ｔ２により最大発光時間が決定される。
【００３４】
上述したスキャンラインの制御、アナログ電圧入力、のこぎり波形の印加によりデータライン１０３の実際の波形は、図６のデータのようになる。データライン１０３にその波形が入力されると、データ・プログラミング期間においてストレージ・キャパシターＣＳ１にプログラムしたアナログ電圧値Ｖｘが保存されているため図４の高利得増幅器１０２の入力段の電圧である電圧Ｖ１は、Ｖｘ程度の差を有しデータライン１０３の波形をそのままコピーした波形になる（図６のＶ１波形：点線）。
【００３５】
したがって、近似的に図４の高利得増幅器１０２である図５のＮチャンネルＴＦＴ（Ｍ１）がオンになる時点は、Ｖ１がＭ１の閾値電圧（Ｖｔｈ）より高くなり始める時点であり、この時から発光期間が始まる（図６の時間Ｅ）。
【００３６】
図５の高利得増幅器のＭ１は、負荷が極めて大きいインバーター増幅器（Inverting Amplifier ）として動作し、Ｍ１により構成された増幅器の利得は極めて大きくなるため、図６の時間Ｅの時点でＶＣＣＳ１０１のＭ２の入力電圧であるＶ２は、ロー状態になりＰチャンネルＴＦＴのＭ２をオン状態になるようにしてＯＬＥＤに飽和電流を供給し始める。
【００３７】
ここで、図６のＶ２は非常にシャープな遷移を示し、Ｍ２の閾値電圧や移動度についてピクセル間で多少の差が発生しても、その差の効果は打ち消される。
【００３８】
結果的にＯＬＥＤに供給される電流の波形は、図６のＩのようになり、ＯＬＥＤが充分にデジタル的に駆動することが理解される。
【００３９】
発光期間が終了するとデータライン１０３の電圧が図５のＭ１をオフさせる状態に駆動する。しかしながら、単純にＭ１を遮断することによりＭ２のゲート電圧がＭ２をオフ状態にすることはできないため、スキャンライン１０４に短いリセット信号を印加し、それにより発光期間を正確に制御できる。
【００４０】
即ち、本発明の最大の利点は、別途の制御線を必要とせずに発光期間を正確に制御できることにあり、これは、のこぎり波を利用して発光期間をパルス幅変調（ＰＷＭ）方式で制御することにより可能になる。
【００４１】
のこぎり波の代わりに三角波形状のスイープ信号を使用した場合は、各々のピクセルの発光が終了する時間が異なるためスキャンラインにリセット信号を印加することができない。
【００４２】
上述の本発明では、データ・プログラム期間と発光期間、さらに両期間の間の遅延期間の総３期間に分けられる。データ・プログラム期間及び発光期間においてデータライン１０３により入力される信号は、マルチプレクサーＭＵＸにより制御され、ピクセル毎にプログラム時と発光時とが異なるようにする。
【００４３】
発光期間における有効発光時間は、データ・プログラム期間に印加されたアナログ電圧とのこぎり波により定義される。データ・プログラムと発光のための制御信号は、データライン１０３とスキャンライン１０４の二つの信号線に印加されればよい。
【００４４】
スイッチ制御のために別途の信号線を使用しないことが最大の特徴であると言うことができる。またのこぎり波の形状に多様な傾きを与えて既存のデータ・フォーマットの変更を必要とせずに効果的なガンマ制御を行うことができる。
【００４５】
図８は、図５に対して相補的な構造であり、図７の概念図に対する一つの実施形態を示したものである。各時間は、図５のＴＦＴのチャンネルを反転させ構成したものであり、根本的な動作原理は図５と同様であるが、変更点はピクセル選択のため制御信号のみである。
【００４６】
図９は、図５のピクセルをアレイとして具現した例であり、これはドライバーチップまたはＳＯＧ（System on Glass ）技術でアクティブマトリクス型ＯＬＥＤアレイを駆動し、データライン（ＤＬ１−ＤＬ３）の入力であるのこぎり波発生器を、発光期間を制御しようとする時、各データライン（ＤＬ１−ＤＬ３）に関連するマルチプレクサー（ＭＵＸ１−ＭＵＸ３）の共通入力としてデータライン（ＤＬ１−ＤＬ３）の入力を共有するように具現されている。
【００４７】
このような構成により各データライン（ＤＬ１−ＤＬ３）に接続されているマルチプレクサー（ＭＵＸ１−ＭＵＸ３）をＲ．Ｇ．Ｂ．に区分し、各々のデータライン（ＤＬ１−ＤＬ３）の入力になるのこぎり波発生器を共有するようにし、のこぎり波に互いに異なる立ち上がり関数（Rising Function ）を印加することにより、Ｒ．Ｇ．Ｂ．のガンマ補正を異ならせることができる。
【００４８】
上述のように、本発明を好ましい実施形態を参照して説明したが、当該技術分野の当業者であれば、特許請求の範囲に開示された本発明の技術思想及び範囲から逸脱することなく本発明を多様に修正または変形することができよう。
【産業上の利用可能性】
【００４９】
以上、詳細に説明したように、本発明は、アクティブマトリクス型ＯＬＥＤディスプレイにおいて、データラインとスキャンラインのみを使用してピクセル選択及び階調の具現を同時に実現でき、アナログ電圧駆動にパルス幅変調を追加して階調間の不均一性を解消することができ、また、アクティブマトリクス型ＯＬＥＤアレイを具現する際におけるピクセル選択及び発光期間を制御するのに必要最小限の配線数使用を可能にする。
【００５０】
また、既存のＴＦＴ−ＬＣＤ駆動チップ構造に対して多大な変更を加えることなく、のこぎり波発生器及びマルチプレクサーのみを追加することによりアクティブマトリクス型ＯＬＥＤ駆動チップを具現することができ、全体的な電力効率を高めるための最適のガンマ補正を容易にする駆動方法を可能にするピクセル構造及びアレイ構造を提供できるようになり、高いシステム・クロック周波数を必要とせずに高い階調を表現できる駆動方法が可能になる。
【図面の簡単な説明】
【００５１】
【図１】従来のＴＲＧ具現のためのピクセル構造を示した図。
【図２】ＳＩＤ２００３において発表されたピクセル回路図。
【図３】ＳＩＤ２００４において発表されたピクセル回路図。
【図４】本発明のアクティブマトリクス型有機発光素子のピクセル回路の概念図。
【図５】図４に対する一つの実施形態の回路図。
【図６】図５の動作タイミングを示すグラフ。
【図７】図４に対して相補的な概念図。
【図８】図７に対する一つの実施形態の回路図。
【図９】本発明のピクセル回路を適用したディスプレイ・アレイの一つの実施形態。
【符号の説明】
【００５２】
１０１…ＶＣＣＳ、１０２…高利得増幅器、１０３…データライン、１０４…スキャンライン、１０７…のこぎり波発生器
【図１】
2006171699.tif 000003
【図２】
2006171699.tif 000004
【図３】
2006171699.tif 000005
【図４】
2006171699.tif 000006
【図５】
2006171699.tif 000007
【図６】
2006171699.tif 000008
【図７】
2006171699.tif 000009
【図８】
2006171699.tif 000010
【図９】
2006171699.tif 000011